(57)【特許請求の範囲】
【請求項１】
壁面に固定される取付部と、該取付部から上方に向かって突出するアーム部と、該アーム部の上部に膨隆する手摺部と、を一体に形成した合成樹脂製の長手方向の両端部が開口する空間部を有する手摺本体と、隣接する上記手摺本体を接続する合成樹脂製の接続部材と、を具備する連続手摺であって、
上記手摺本体は、使用者の拇指を除く４指が挿入可能な上方に凹状の指掛け凹部と、上記アーム部の上向き傾斜状の外面上端に上記拇指が掛止可能な円弧部を介して上方に延在する平坦部と、該平坦部の上端と上記指掛け凹部に跨がって円弧状に隆起する掌支持部とを有し、
上記接続部材は、隣接する上記両手摺本体の上記アーム部及び上記手摺部の外周面と略同形状に形成されると共に、手摺本体の長手方向端部と嵌合する嵌合部を有する、
ことを特徴とする連続手摺。
【請求項２】
請求項１記載の連続手摺において、
直線状に隣接する上記両手摺本体を接続する直状接続部材は、上記手摺本体より軟質の合成樹脂製部材にて形成され、上記手摺部の指掛け凹部、平坦部及び掌支持部と略同形状の断面を有する板状基部と、該板状基部の両端からそれぞれ突出して、上記手摺本体の長手方向の端部を嵌挿する主嵌合部と、上記手摺部の掌支持部の空間部内に嵌挿される上部嵌合部と、上記取付部の空間部内に嵌挿される下部嵌合部と、を一体に形成してなり、
上記板状基部は、該板状基部の中央に仕切壁を残して両端に上記主嵌合部、上部嵌合部及び下部嵌合部を突出し、
上記仕切壁における上記手摺本体の長手方向端部が当接可能な部位に、上記手摺本体が線膨張により伸張して当接した際に弾性変形可能な複数の突起を突設してなる、
ことを特徴とする連続手摺。
【請求項３】
請求項１記載の連続手摺において、
出隅部において隣接する上記両手摺本体を接続する出隅用接続部材は、上記手摺部の指掛け凹部、平坦部及び掌支持部と略同形状の断面を有する円弧状に湾曲するエルボ状基部と、該エルボ状基部の両端からそれぞれ突出して、上記手摺本体の長手方向の端部を嵌挿する主嵌合部と、上記手摺部の掌支持部の空間部内に嵌挿される上部嵌合部と、上記取付部の空間部内に嵌挿される下部嵌合部と、上記手摺部の上記平坦部の下部と上記アーム部の上部及び上記円弧部の内面に当接する補助嵌合部と、を一体に形成してなり、
上記エルボ状基部は、該エルボ状基部の湾曲部中央に仕切壁を残して両端に上記主嵌合部、上部嵌合部、下部嵌合部及び補助嵌合部を突出してなる、
ことを特徴とする連続手摺。
【請求項４】
請求項３記載の連続手摺において、
上記エルボ状基部の掌支持部における湾曲部を含む内側を、上記指掛け凹部を残して断面平坦状に形成してなる、ことを特徴とする連続手摺。
【請求項５】
請求項３記載の連続手摺において、
上記エルボ状基部の掌支持部における湾曲部を含む内側を、上記掌支持部の上部円弧部と上記指掛け凹部を残して断面平坦状に形成してなる、ことを特徴とする連続手摺。
【請求項６】
請求項３記載の連続手摺において、
上記エルボ状基部は、該エルボ状基部の湾曲部の内側面に上記仕切壁に連なる一対の傾斜内壁にて形成される拡開凹部を有し、上記拡開凹部には、該拡開凹部の開口部を塞ぐと共に、上記湾曲部の内側面と同一面の蓋部を有する仕上げ材が被着される、ことを特徴とする連続手摺。
【請求項７】
請求項１記載の連続手摺において、
入隅部において隣接する上記両手摺本体を接続する入隅用接続部材は、上記手摺部の指掛け凹部、平坦部及び掌支持部と略同形状の断面を有する帯状基部と、該帯状基部の両端からそれぞれ突出して、上記手摺本体の長手方向の端部を嵌挿する主嵌合部と、上記手摺部の掌支持部の空間部内に嵌挿される上部嵌合部と、上記取付部の空間部内に嵌挿される下部嵌合部と、を一体に形成してなり、
上記帯状基部は、該帯状基部の中央に、上記手摺本体の長手方向端部が当接する仕切壁を残して両端に上記主嵌合部、上部嵌合部及び下部嵌合部を突出してなる、
ことを特徴とする連続手摺。
【請求項８】
請求項１ないし７のいずれかに記載の連続手摺において、
上記手摺本体の長手方向端部に装着される端部キャップ材を更に具備し、
上記端部キャップ材は、上記手摺本体の取付部、アーム部及び手摺部と略同形状に形成される主嵌合部を有する外面縁部が円弧状に形成されるキャップ基部と、該キャップ基部から突出して上記手摺部の掌支持部の空間部内に嵌挿される上部嵌合部と、上記取付部の空間部内に嵌挿される下部嵌合部と、上記手摺部の上記平坦部の下部と上記アーム部の上部及び上記円弧部の内面に当接する補助嵌合部と、を一体に形成してなる、
ことを特徴とする連続手摺。
【請求項９】
請求項１記載の連続手摺において、
上記手摺本体は、上記取付部の下面外面と上記アーム部の上部外面との間に形成される固定ねじ取付用の段状凹溝と、該段状凹溝の開口部を閉塞すると共に、閉塞状態で上記アーム部の外面と同一面を有するカバー材とを具備し、
上記段状凹溝の開口部の上下縁には、上記アーム部の外面より内方に段部を介して突出する上部及び下部係合凸条が突設され、上部係合凸条の内方側に係合凹条が沿設され、
上記カバー材は、弾性変形可能な合成樹脂製部材にて形成され、上記段部内に挿入されるカバー本体と、該カバー本体の内面側の上下端部に設けられ、上記上部及び下部係合凸条に係合可能な上部及び下部係止爪とからなり、上記上部係止爪が上記上部係合凸条を乗り越えて上記係合凹条に係脱可能に形成されている、
ことを特徴とする連続手摺。
【発明の詳細な説明】
【技術分野】
【０００１】
この発明は、連続手摺に関するもので、更に詳細には、出隅部や入隅部を含む壁面において隣接する手摺本体を隙間なく連続する連続手摺に関するものである。
【背景技術】
【０００２】
従来、建築物の廊下等の壁面に密着して固定される複数の手摺本体を、接続部材によって接続する連続手摺が使用されている。
【０００３】
この連続手摺は、壁面に密着して取り付けられ、壁面からの突出量が小さいため、車椅子やストレッチャー等の運搬機器を使用する幅の狭い廊下や通路に設置させるのみではなく、病院等に設置されている。
【０００４】
従来のこの種の連続手摺として、壁面に密着して固定される複数の手摺部材と、隣接する手摺部材を接続する架橋部材（接続部材）とを有するものが知られている（例えば、特許文献１参照）。
【０００５】
特許文献１記載の連続手摺において、手摺部材は、支持面を壁面に当接させて壁面に固定されるブラケットと、該ブラケットに取り付けられる手摺本体とを有しており、手摺本体は、壁面から離隔する方向に突出した外形を有する把持部と、該把持部の上縁部に形成された巻回部と、該巻回部に連続する凹状湾曲面とを有している。また、出隅部や入隅部を含む壁面において隣接する手摺本体を接続する接続部材は、上記把持部と卷回部を滑らかに連結している。この接続部材と壁面との間には、把持部と卷回部に溜まった塵埃の掃き出しを可能にするために空間部が設けられている。
【０００６】
また、壁面への取付面を有する固定部と、該固定部から外方に延びる手摺棒部（手摺本体）と、を一体に形成する手摺が知られている（例えば、特許文献２参照）。
【０００７】
特許文献２記載の手摺は、コーナー部（入隅部）において、手摺本体の端部を４５度に切断して当接して隣接する手摺を連続する構造である。
【先行技術文献】
【特許文献】
【０００８】
【特許文献１】特許第５２７４３１９号公報（特許請求の範囲、図１，図２，図４）
【特許文献２】特開２００８−１９５８２号公報（図１，図３，図６）
【発明の概要】
【発明が解決しようとする課題】
【０００９】
しかしながら、特許文献１に記載のものは、ブラケットと手摺本体の２部材から構成されるため、施工が面倒である。しかも、隣接する手摺本体を接続する接続部材と壁面との間には、空間部が設けられるため、手摺全体を通して同一断面形状の連続手摺は得られなかった。特に、刑務所や精神病棟においては、収容者がこの空間部を利用して自損行為を誘発して尊い命を失う虞があるため、壁面との間に隙間のない連続手摺の設置が望まれている。
【００１０】
一方、特許文献２に記載のものは、壁面への取付面を有する固定部と、該固定部から外方に延びる手摺棒部（手摺本体）と、を一体に形成するため、特許文献１に記載のものに比べて構成部材の削減が図れ、施工を容易にすることができる。しかし、特許文献２に記載のものは、コーナー部（入隅部）において、手摺本体の端部を４５度に切断して当接して隣接する手摺を連続する構造であるため、手摺を隙間なく接続するには、手摺の寸法精度が要求され、施工が面倒であるという問題がある。特に、手摺の材質が合成樹脂であると、施工時と施工後の温度差による線膨張によって手摺が伸縮するため、伸張の場合は手摺が壁面外方に湾曲状に変形し、逆に収縮する場合は、接続部に隙間が生じる懸念がある。更に、出隅部において入隅部の手摺の接続と同様の手法で手摺を接続した場合にも、上記と同様の問題があるばかりでなく、手摺の外面側に突出量の大きい角部が生じ、使用者の安全性が損なわれる懸念がある。
【００１１】
この発明は、上記事情に鑑みてなされたもので、壁面からの突出量を小さくすることができ、出隅部や入隅部を含む壁面において隣接する手摺本体を略同一断面形状で隙間なく連続する連続手摺を提供することを課題とする。
【課題を解決するための手段】
【００１２】
上記課題を解決するために、この発明に係る連続手摺は、壁面に固定される取付部と、該取付部から上方に向かって突出するアーム部と、該アーム部の上部に膨隆する手摺部と、を一体に形成した合成樹脂製の長手方向の両端部が開口する空間部を有する手摺本体と、隣接する上記手摺本体を接続する合成樹脂製の接続部材と、を具備する連続手摺であって、上記手摺本体は、使用者の拇指を除く４指が挿入可能な上方に凹状の指掛け凹部と、上記アーム部の上向き傾斜状の外面上端に上記拇指が掛止可能な円弧部を介して上方に延在する平坦部と、該平坦部の上端と上記指掛け凹部に跨がって円弧状に隆起する掌支持部とを有し、上記接続部材は、隣接する上記両手摺本体の上記アーム部及び上記手摺部の外周面と略同形状に形成されると共に、手摺本体の長手方向端部と嵌合する嵌合部を有する、ことを特徴とする（請求項１）。
【００１３】
このように構成することにより、出隅部や入隅部を含む壁面において隣接する手摺本体を略同一断面形状で隙間なく連続することができる。また、手摺本体は、使用者の拇指を除く４指が挿入可能な上方に凹状の指掛け凹部と、アーム部の上向き傾斜状の外面上端に拇指が掛止可能な円弧部を介して上方に延在する平坦部と、該平坦部の上端と指掛け凹部に跨がって円弧状に隆起する掌支持部とを有するので、使用者が手摺本体を握った際に掌の周長をもたせることができ、違和感なく握り易くすることがでる上、壁面からの突出量を小さくすることができると共に、前面を平坦状にしてストレッチャーガードとして機能することができる。
【００１４】
この発明において、直線状に隣接する上記両手摺本体を接続する直状接続部材は、上記手摺本体より軟質の合成樹脂製部材にて形成され、上記手摺部の指掛け凹部、平坦部及び掌支持部と略同形状の断面を有する板状基部と、該板状基部の両端からそれぞれ突出して、上記手摺本体の長手方向の端部を嵌挿する主嵌合部と、上記手摺部の掌支持部の空間部内に嵌挿される上部嵌合部と、上記取付部の空間部内に嵌挿される下部嵌合部と、を一体に形成してなり、上記板状基部は、該板状基部の中央に仕切壁を残して両端に上記主嵌合部、上部嵌合部及び下部嵌合部を突出し、上記仕切壁における上記手摺本体の長手方向端部が当接可能な部位に、上記手摺本体が線膨張により伸張して当接した際に弾性変形可能な複数の突起を突設する方が好ましい（請求項２）。
【００１５】
このように構成することにより、直線状に隣接する両手摺本体が温度差による線膨張によって伸縮した場合においても、手摺本体の長手方向の端部が嵌合部内に嵌挿されているので、両手摺本体を隙間なく接続することができる。すなわち、手摺本体が収縮した場合は、手摺本体の端面は突起から離れ、手摺本体が伸張した場合は、手摺本体の端面は突起に当接し、突起を弾性変形して押し潰すことで、両手摺本体を隙間なく接続することができる。
【００１６】
また、この発明において、出隅部において隣接する上記両手摺本体を接続する出隅用接続部材は、上記手摺部の指掛け凹部、平坦部及び掌支持部と略同形状の断面を有する円弧状に湾曲するエルボ状基部と、該エルボ状基部の両端からそれぞれ突出して、上記手摺本体の長手方向の端部を嵌挿する主嵌合部と、上記手摺部の掌支持部の空間部内に嵌挿される上部嵌合部と、上記取付部の空間部内に嵌挿される下部嵌合部と、上記手摺部の上記平坦部の下部と上記アーム部の上部及び上記円弧部の内面に当接する補助嵌合部と、を一体に形成してなり、上記エルボ状基部は、該エルボ状基部の湾曲部中央に仕切壁を残して両端に上記主嵌合部、上部嵌合部、下部嵌合部及び補助嵌合部を突出してなるのが好ましい（請求項３）。
【００１７】
このように構成することにより、出隅用接続部材の軽量化が図れると共に、出隅部において隣接する手摺本体を略同一断面形状で隙間なく連続することができる。また、出隅用接続部材と手摺本体の嵌合構造は、エルボ状基部の両端からそれぞれ突出して手摺部の掌支持部の空間部内に嵌挿される上部嵌合部と、取付部の空間部内に嵌挿される下部嵌合部と、手摺部の平坦部の下部とアーム部の上部及び円弧部の内面に当接する補助嵌合部とで嵌合される構造であるので、出隅用接続部材と手摺本体とを強固に接続することができる。
【００１８】
この場合、上記エルボ状基部の掌支持部における湾曲部を含む内側を、上記指掛け凹部を残して断面平坦状に形成するか（請求項４）、あるいは、上記エルボ状基部の掌支持部における湾曲部を含む内側を、上記掌支持部の上部円弧部と上記指掛け凹部を残して断面平坦状に形成することができる（請求項５）。また、上記エルボ状基部は、該エルボ状基部の湾曲部の内側面に上記仕切壁に連なる一対の傾斜内壁にて形成される拡開凹部を有し、上記拡開凹部には、該拡開凹部の開口部を塞ぐと共に、上記湾曲部の内側面と同一面の蓋部を有する仕上げ材が被着される構造とすることができる（請求項６）。
【００１９】
このように構成することにより、エルボ状基部の湾曲部の内側すなわち壁面側の肉厚を薄くすることができ、合成樹脂製の出隅用接続部材の成形を容易にすることができる。
【００２０】
また、この発明において、入隅部において隣接する上記両手摺本体を接続する入隅用接続部材は、上記手摺部の指掛け凹部、平坦部及び掌支持部と略同形状の断面を有する帯状基部と、該帯状基部の両端からそれぞれ突出して、上記手摺本体の長手方向の端部を嵌挿する主嵌合部と、上記手摺部の掌支持部の空間部内に嵌挿される上部嵌合部と、上記取付部の空間部内に嵌挿される下部嵌合部と、を一体に形成してなり、上記帯状基部は、該帯状基部の中央に、上記手摺本体の長手方向端部が当接する仕切壁を残して両端に上記主嵌合部、上部嵌合部及び下部嵌合部を突出してなるのが好ましい（請求項７）。
【００２１】
このように構成することにより、入隅用接続部材のコンパクト化が図れると共に、入隅部において隣接する手摺本体の寸法精度に誤差があっても、手摺本体を略同一断面形状で隙間なく連続することができる。
【００２２】
また、この発明において、上記手摺本体の長手方向端部に装着される端部キャップ材を更に具備し、上記端部キャップ材は、上記手摺本体の取付部、アーム部及び手摺部と略同形状に形成される主嵌合部を有する外面縁部が円弧状に形成されるキャップ基部と、該キャップ基部から突出して上記手摺部の掌支持部の空間部内に嵌挿される上部嵌合部と、上記取付部の空間部内に嵌挿される下部嵌合部と、上記手摺部の上記平坦部の下部と上記アーム部の上部及び上記円弧部の内面に当接する補助嵌合部と、を一体に形成してなるのが好ましい（請求項８）。
【００２３】
このように構成することにより、手摺本体の長手方向の端部に端部キャップ材を強固に装着することができる。この場合、端部キャップ材の外面縁部が円弧状に形成されているので、使用者が衝突して接触した際の衝撃を和らげることができる。また、端部キャップ材は、手摺本体の取付部、アーム部及び手摺部と略同形状に形成されるので、手摺本体の取付部、アーム部及び手摺部に溜まった塵埃を端部キャップ材から掃き出すことができる。
【００２４】
加えて、この発明において、上記手摺本体は、上記取付部の下面外面と上記アーム部の上部外面との間に形成される固定ねじ取付用の段状凹溝と、該段状凹溝の開口部を閉塞すると共に、閉塞状態で上記アーム部の外面と同一面を有するカバー材とを具備し、上記段状凹溝の開口部の上下縁には、上記アーム部の外面より内方に段部を介して突出する上部及び下部係合凸条が突設され、上部係合凸条の内方側に係合凹条が沿設され、上記カバー材は、弾性変形可能な合成樹脂製部材にて形成され、上記段部内に挿入されるカバー本体と、該カバー本体の内面側の上下端部に設けられ、上記上部及び下部係合凸条に係合可能な上部及び下部係止爪とからなり、上記上部係止爪が上記上部係合凸条を乗り越えて上記係合凹条に係脱可能に形成されているのが好ましい（請求項９）。
【００２５】
このように構成することにより、手摺本体を壁面に固定する固定ねじを外部から目隠しするカバー材の手摺本体への取り付け、取り外しを容易にすることができる。すなわち、カバー材を手摺本体に取り付ける場合は、カバー材の下部係止爪を固定ねじ取付用の段状凹溝の下部係合凸条に係合させた状態で、カバー材の上部係止爪が固定ねじ取付用の段状凹溝の上部係合凸条を乗り越えて係合凹条に係合させてカバー材を取り付ける。また、カバー材を取り外す場合は、固定ねじ取付用の段状凹溝とカバー材の上端部の隙間に例えばへら状の工具等を差し込んで、カバー材を外側に湾曲変形させて、カバー材の上部係止爪と固定ねじ取付用の段状凹溝の係合凹条との係合を解いてカバー材を取り外すことができる。
【発明の効果】
【００２６】
この発明によれば、上記のように構成されているので、以下のような優れた効果が得られる。
【００２７】
（１）請求項１記載の発明によれば、出隅部や入隅部を含む壁面において隣接する手摺本体を略同一断面形状で隙間なく連続することができる。また、使用者が手摺本体を握った際に掌の周長をもたせることができ、違和感なく握り易くすることがでる上、壁面からの突出量を小さくすることができると共に、前面を平坦状にしてストレッチャーガードとして機能することができる。
【００２８】
（２）請求項２記載の発明によれば、上記（１）に加えて、更に直線状に隣接する両手摺本体が温度差による線膨張によって伸縮した場合においても、両手摺本体を隙間なく接続することができる。
【００２９】
（３）請求項３〜６記載の発明によれば、上記（１）に加えて、更に出隅用接続部材の軽量化が図れると共に、出隅部において隣接する手摺本体を略同一断面形状で隙間なく連続することができる。また、出隅用接続部材と手摺本体とを強固に接続することができる。
【００３０】
（４）請求項７記載の発明によれば、上記（１）に加えて、更に入隅用接続部材のコンパクト化が図れると共に、入隅部において隣接する手摺本体の寸法精度に誤差があっても、手摺本体を略同一断面形状で隙間なく連続することができる。
【００３１】
（５）請求項８記載の発明によれば、上記（１）〜（４）に加えて、更に手摺本体の長手方向の端部に端部キャップ材を強固に装着することができる。また、使用者が衝突して接触した際の衝撃を和らげることができる。更には、手摺本体の取付部、アーム部及び手摺部に溜まった塵埃を端部キャップ材から掃き出すことができる。
【００３２】
（６）請求項９記載の発明によれば、上記（１）〜（５）に加えて、更に手摺本体を壁面に固定する固定ねじを外部から目隠しするカバー材の手摺本体への取り付け、取り外しを容易にすることができる。
【図面の簡単な説明】
【００３３】
【図１】この発明に係る連続手摺の使用状態の一例を示す概略平面図である。
【図２】図１のＩ−Ｉ線に沿う拡大断面図（ａ）及び（ａ）の側面図（ｂ）である。
【図２Ａ】この発明における手摺本体を示す断面図である。
【図３】この発明における手摺本体と直状接続部材を示す分解斜視図である。
【図４】上記直状接続部材の正面図である。
【図５】上記直状部材と手摺本体の接続部を示す要部断面図である。
【図６】この発明における出隅用接続部材と手摺本体の接続部を示す平面図である。
【図７】図６の側面図である。
【図８】上記出隅用接続部材と手摺本体を示す分解斜視図である。
【図９】上記出隅用接続部材のエルボ状基部と仕上げ材を示す分解斜視図（ａ）及び組付け状態を示す斜視図（ｂ）である。
【図１０】上記出隅用接続部材の横断面図である。
【図１１】図１０のII−II線に沿う断面図である。
【図１２】別の出隅用接続部材を示す斜視図である。
【図１３】図１２の縦断面図である。
【図１４】更に別の出隅用接続部材を示す斜視図である。
【図１５】図１４の縦断面図である。
【図１６】この発明における入隅用接続部材と手摺本体の接続部を示す平面図である。
【図１７】図１６の側面図である。
【図１８】上記入隅用接続部材と手摺本体を示す分解斜視図である。
【図１９】この発明における端部キャップ材の取付状態を示す側面図である。
【図２０】図１９の平面図である。
【図２１】上記端部キャップ材と手摺本体を示す分解斜視図である。
【図２２】上記手摺本体の段状凹溝にカバー材を取り付ける状態を示す側面図である。
【図２３】上記手摺本体の段状凹溝からカバー材を取り外す状態を示す側面図である。
【発明を実施するための形態】
【００３４】
以下に、この発明に係る連続手摺の実施形態を添付図面に基づいて詳細に説明する。
【００３５】
図１に示すように、壁桁材２に設置される壁パネル３によって平面視がクランク状の廊下４が形成されており、壁パネル３の壁面５にこの発明に係る連続手摺１が設置されている。
【００３６】
この発明に係る連続手摺１は、壁面５に固定される取付部１１と、取付部１１から上方に向かって突出するアーム部１２と、アーム部１２の上部に膨隆する手摺部１３と、を一体に形成した合成樹脂製の長手方向の両端部が開口する空間部を有する手摺本体１０と、出隅部６及び入隅部７を含む隣接する手摺本体１０を接続する合成樹脂製の接続部材すなわち直状接続部材２０Ａ，出隅用接続部材２０Ｂ，入隅用接続部材２０Ｃと、手摺本体１０の長手方向の端部に装着される合成樹脂製の端部キャップ材４０と、を具備している。
【００３７】
上記手摺本体１０は、硬質のＰＶＣ樹脂（ポリ塩化ビニル）にて形成されている。壁面５に固定される取付部１１は、壁面５に当接する固定片１１ａの表面側中間部に互いに間隔をおいて一対の補強リブ１０ａが突設されており、両補強リブ１０ａの先端を連結する取付片１１ｂによって矩形状空間部１１ｃが形成されている。取付片１１ｂ及び矩形状空間部１１ｃを貫通する固定ねじ５０を壁パネル３にねじ結合することで、取付部１１が壁面に固定される。
【００３８】
アーム部１２は、取付部１１の固定片１１ａの上端から上方に延在する凹状湾曲片１２ａと、固定片１１ａの下端から下端平坦面１２ｂを残して上方に延在する傾斜片１２ｃとからなる。アーム部１２の下端に下端平坦面１２ｂを設けたのは、下端平坦面１２ｂに腰壁パネル８の上端を当接して腰壁パネル８の設置を容易にしたためである。傾斜片１２ｃにおける取付部１１の下面外面とアーム部１２の上部外面との間には、固定ねじ取付用の段状凹溝１４が形成されており、段状凹溝１４の開口部１４ａにはカバー材１５が着脱可能に被着されている。カバー材１５は、閉塞状態でアーム部１２の外面と同一面を有する。なお、凹状湾曲片１２ａと段状凹溝１４及び傾斜片１２ｃとの間には補強リブ１０ｂ，１０ｃが設けられている。
【００３９】
この場合、段状凹溝１４の開口部の上下縁には、アーム部１２の外面より内方に凹状の段部１４ｂを介して突出する上部係合凸条１４ｃ及び下部係合凸条１４ｄが突設され、上部係合凸条１４ｃの内方側に係合凹条１４ｅが沿設されている。一方、カバー材１５は、弾性変形可能な合成樹脂製部材例えばＰＶＣ樹脂（ポリ塩化ビニル）にて形成され、段部１４ｂ内に挿入されるカバー本体１５ａと、カバー本体１５ａの内面側の上下端部に設けられ、上部係合凸条１４ｃ及び下部係合凸条１４ｄに係合可能な上部係止爪１５ｂ及び下部係止爪１５ｃとからなり、上部係止爪１５ｂが上部係合凸条１４ｃを乗り越えて係合凹条１４ｅに係脱可能に形成されている。
【００４０】
このように構成することにより、手摺本体１０を壁面５に固定する固定ねじ５０を外部から目隠しするカバー材１５の手摺本体１０への取り付け、取り外しを容易にすることができる。すなわち、図２２に示すように、カバー材１５を手摺本体１０に取り付ける場合は、カバー材１５の下部係止爪１５ｃを段状凹溝１４の下部係合凸条１４ｄに係合させた状態で、カバー材１５の上部係止爪１５ｂが段状凹溝１４の上部係合凸条１４ｃを乗り越えて係合凹条１４ｅに係合させてカバー材１５を取り付ける。また、カバー材１５を取り外す場合は、図２３に示すように、段状凹溝１４とカバー材１５の上端部の隙間に、例えばへら状の工具Ｔを差し込んで、カバー材１５を外側に湾曲変形させて、カバー材１５の上部係止爪１５ｂと段状凹溝１４の係合凹条１４ｅとの係合を解いてカバー材１５を取り外すことができる。
【００４１】
上記手摺部１３は、図２Ａに示すように、使用者の拇指ａを除く４指ｂが挿入可能な上方に凹状の指掛け凹部１６と、アーム部１２の外面上端に拇指ａが掛止可能な円弧部１７を介して上方に延在する平坦部１８と、平坦部１８の上端と指掛け凹部１６に跨がって円弧状に隆起する掌支持部１９とを有している。なお、指掛け凹部１６と平坦部１８との間には補強リブ１０ｄが設けられており、掌支持部１９に上部空間部１３ａを形成している。
【００４２】
上記のように構成される手摺本体１０は、平坦部１８と円弧状に隆起する掌支持部１９とで掌の周長をもたせることができるので、使用者が手摺本体１０を握った際に、違和感なく握り易くすることがでる。また、前面に平坦部１８が設けられているので、壁面５からの突出量を小さくすることができると共に、前面の平坦部１８がストレッチャーガードとして機能する。
【００４３】
直線状に隣接する両手摺本体１０を接続する直状接続部材２０Ａは、手摺本体１０より軟質の合成樹脂製部材例えば軟質のＰＶＣ樹脂（ポリ塩化ビニル）にて形成されている。この直状接続部材２０Ａは、手摺部１３の指掛け凹部１６、平坦部１８及び掌支持部１９と略同形状の断面を有する板状基部２１と、板状基部２１の両端からそれぞれ突出して、手摺本体１０の長手方向の端部を嵌挿する主嵌合部２２Ａと、手摺部１３の掌支持部１９の上部空間部１３ａ内に嵌挿される上部嵌合部２３Ａと、取付部１１の矩形状空間部１１ｃ内に嵌挿される下部嵌合部２４Ａと、を一体に形成してなる。なお、上部嵌合部２３Ａの円弧状上面及び左右側面には突出方向に沿う凸条２３ａが設けられている。また、主嵌合部２２Ａにおけるアーム部１２と手摺部１３の内側面の適宜間隔をおいた位置にも、主嵌合部２２Ａの突出方向に沿う凸条２３ａが設けられている。
【００４４】
また、板状基部２１は、該板状基部２１の中央に仕切壁２５Ａが設けられており、該仕切壁２５Ａを残して両端に主嵌合部２２Ａ、上部嵌合部２３Ａ及び下部嵌合部２４Ａを突出してなる。また、仕切壁２５Ａにおける手摺本体１０の長手方向端部が当接可能な部位に、手摺本体１０が線膨張により伸張して当接した際に弾性変形可能な複数の突起２６が突設されている。この場合、図４に示すように、突起２６は、高さが約１ｍｍの円柱状に形成されており、仕切壁２５における手摺本体１０のアーム部１２が当接する上下２箇所と、手摺部１３が当接する３箇所の計５箇所に設けられている。
【００４５】
上記のように、仕切壁２５Ａにおける手摺本体１０の長手方向端部が当接可能な部位に、手摺本体１０が線膨張により伸張して当接した際に弾性変形可能な複数の突起２６を突設することにより、直線状に隣接する両手摺本体１０が温度差による線膨張によって伸縮した場合においても、手摺本体１０の長手方向の端部が主嵌合部２２Ａ内に嵌挿されているので、両手摺本体１０を隙間なく接続することができる。すなわち、図５に示すように、手摺本体１０が収縮した場合（矢印Ａ）は、手摺本体１０の端面は突起２６から離れ、手摺本体１０が伸張した場合（矢印Ｂ）は、手摺本体１０の端面は突起２６に当接し、突起２６を弾性変形して押し潰すことで、両手摺本体１０を隙間なく接続することができる。なお、本実施形態では、手摺本体１０は全長が３００ｍｍのものが使用されており、例えば６０℃の温度差によって手摺本体１０は約１ｍｍ伸縮する。
【００４６】
上記出隅部６において隣接する両手摺本体１０を接続する出隅用接続部材２０Ｂは、ＰＶＣ樹脂（ポリ塩化ビニル）にて形成されている。図６ないし図８に示すように、出隅用接続部材２０Ｂは、手摺部１３の指掛け凹部１６、平坦部１８及び掌支持部１９と略同形状の断面を有する円弧状に湾曲するエルボ状基部２７と、該エルボ状基部２７の両端からそれぞれ突出して、手摺本体１０の長手方向の端部を嵌挿する主嵌合部２２Ｂと、手摺部１３の掌支持部１９の上部空間部１３ａ内に嵌挿される上部嵌合部２３Ｂと、取付部１１の矩形状空間部１１ｃ内に嵌挿される下部嵌合部２４Ｂと、手摺部１３の平坦部１８の下部とアーム部１２の上部及び円弧部１７の内面に当接する補助嵌合部２８と、を一体に形成してなる。なお、上部嵌合部２３Ｂの円弧状上面及び左右側面には突出方向に沿う凸条２３ａが設けられている。また、エルボ状基部２７は、該エルボ状基部２７の湾曲部中央に仕切壁２５Ｂが設けられ、仕切壁２５Ｂを残して両端に主嵌合部２２Ｂ、上部嵌合部２３Ｂ、下部嵌合部２４Ｂ及び補助嵌合部２８が突出している。なお、上部嵌合部２３Ｂ及び下部嵌合部２４Ｂは先端側が開口する筒状に形成されており、出隅用接続部材２０Ｂは仕切壁２５Ｂを残して両端が開口する中空状に形成されている。これにより、出隅用接続部材２０Ｂの材料の削減及び軽量化が図れる。なお、下部嵌合部２４Ｂは取付部１１の矩形状空間部１１ｃ内に嵌挿された後、段状凹溝１４を貫通する止めねじ４２によって固定される。
【００４７】
この場合、図９ないし図１１に示すように、エルボ状基部２７は、該エルボ状基部２７の湾曲部の内側面に仕切壁２５Ｂに連なる一対の傾斜内壁２９にて形成される拡開凹部３０を有し、拡開凹部３０には、該拡開凹部３０の開口部を塞ぐと共に、湾曲部の内側面と同一面の蓋部３１を有する仕上げ材３２が被着されている。
【００４８】
このように、エルボ状基部２７の湾曲部の内側面に仕切壁２５Ｂに連なる一対の傾斜内壁２９にて形成される拡開凹部３０を設けることにより、屈曲部の内側の肉厚を薄くすることができるので、エルボ状基部２７を有する出隅用接続部材２０Ｂの成形を容易にすることができる。また、拡開凹部３０の開口部を塞ぐ仕上げ材３２が、エルボ状基部２７の湾曲部の内側面と同一面の蓋部３１を有するので、使用者は出隅部６においても、手摺本体１０の手摺部１３を握っているのと同様に連続して手摺を伝って歩行することができる。
【００４９】
なお、上記実施形態では、エルボ状基部２７の湾曲部の内側に拡開凹部３０を設け、拡開凹部３０に仕上げ材３２を被着しているが、仕上げ材３２を用いない構造としてもよい。例えば、図１２及び図１３に示すように、エルボ状基部２７の掌支持部１９における湾曲部を含む内側を、掌支持部１９の上部円弧部１９ａと指掛け凹部１６を残して断面平坦状に形成してもよい。
【００５０】
このように形成することにより、屈曲部の内側の肉厚を薄くすることができるので、エルボ状基部２７を有する出隅用接続部材２０Ｂの成形を容易にすることができる。また、掌支持部１９の上部円弧部１９ａと指掛け凹部１６を残しているので、使用者は出隅部６においても、手摺本体１０の手摺部１３を握っているのと違和感なく手摺を伝って歩行することができる。
【００５１】
また、図１４及び図１５に示すように、エルボ状基部２７の掌支持部１９における湾曲部を含む内側を、指掛け凹部１６を残して断面平坦状に形成してもよい。
【００５２】
このように形成することにより、屈曲部の内側の肉厚を薄くすることができるので、エルボ状基部２７を有する出隅用接続部材２０Ｂの成形を容易にすることができる。また、掌支持部１９の上部に半円弧部１９ｂを残し、指掛け凹部１６を残しているので、使用者は出隅部６においても、手摺本体１０の手摺部１３を握っているのと違和感なく手摺を伝って歩行することができる。
【００５３】
上記入隅部７において隣接する両手摺本体１０を接続する入隅用接続部材２０Ｃは、ＰＶＣ樹脂（ポリ塩化ビニル）にて形成されている。図１６ないし図１８に示すように、入隅用接続部材２０Ｃは、手摺部１３の指掛け凹部１６、平坦部１８及び掌支持部１９と略同形状の断面を有する帯状基部３３と、該帯状基部３３の両端からそれぞれ突出して、手摺本体１０の長手方向の端部を嵌挿する主嵌合部２２Ｃと、手摺部１３の掌支持部１９の上部空間部１３ａ内に嵌挿される上部嵌合部２３Ｃと、取付部１１の矩形状空間部１１ｃ内に嵌挿される下部嵌合部２４Ｃと、を一体に形成してなる。なお、上部嵌合部２３Ｃの円弧状上面及び左右側面には突出方向に沿う凸条２３ａが設けられている。また、帯状基部３３は、該帯状基部３３の中央に、手摺本体１０の長手方向端部が当接する仕切壁２５Ｃが設けられ、仕切壁２５Ｃを残して両端に主嵌合部２２Ｃ、上部嵌合部２３Ｃ及び下部嵌合部２４Ｃを突出してなる。なお、上部嵌合部２３Ｃ及び下部嵌合部２４Ｃは先端側が開口する筒状に形成されており、入隅用接続部材２０Ｃは仕切壁２５Ｃを残して両端が開口する中空状に形成されている。これにより、入隅用接続部材２０Ｃの材料の削減及び軽量コンパクト化が図れる。
【００５４】
上記のように形成される入隅用接続部材２０Ｃを用いて隣接する手摺本体１０を接続する場合は、両手摺本体１０の長手方向の端部を４５度に切断し、入隅用接続部材２０Ｃの主嵌合部２２Ｃに手摺本体１０の長手方向の端部を嵌挿すると共に、上部嵌合部２３Ｃを手摺部１３の上部空間部１３ａ内に嵌挿し、下部嵌合部２４Ｃを取付部１１の矩形状空間部１１ｃ内に嵌挿して、手摺本体１０の４５度に切断された端面を仕切壁２５Ｃに当接して、両手摺本体１０を接続する。
【００５５】
この場合、手摺本体１０の切断端部は入隅用接続部材２０Ｃの主嵌合部２２Ｃ内に嵌挿されているので、手摺本体１０の寸法精度に誤差があっても、入隅部７で隣接する両手摺本体１０を隙間なく接続することができる。
【００５６】
上記のように構成することにより、使用者は入隅部７においても、手摺本体１０の手摺部１３を握っているのと同様に連続して手摺を伝って歩行することができる。また、入隅部７における手摺本体１０の接続部には帯状基部３３のみが露出するので、接続部を目立たないコンパクト設計とすることができる。
【００５７】
上記手摺本体１０の長手方向端部に装着される端部キャップ材４０は、ＡＳＡ樹脂（acrylate-styrene-acrylonitrile-copolymer）にて形成されている。図１９ないし図２１に示すように、端部キャップ材４０は、手摺本体１０の取付部１１、アーム部１２及び手摺部１３と略同形状に形成される主嵌合部２２Ｄを有する外面縁部が円弧状に形成されるキャップ基部４１と、該キャップ基部４１から突出して手摺部１３の掌支持部１９の上部空間部１３ａ内に嵌挿される上部嵌合部２３Ｄと、取付部１１の矩形状空間部１１ｃ内に嵌挿される下部嵌合部２４Ｄと、手摺部１３の平坦部１８の下部とアーム部１２の上部及び円弧部１７の内面に当接する補助嵌合部２８Ｄと、を一体に形成してなる。なお、上部嵌合部２３Ｄの円弧状上面及び左右側面には突出方向に沿う凸条２３ａが設けられている。また、上部嵌合部２３Ｄ及び下部嵌合部２４Ｄは、これら嵌合部２３Ｄ，２４Ｄの突出側が開口する筒状に形成されている。なお、下部嵌合部２４Ｄは取付部１１の矩形状空間部１１ｃ内に嵌挿された後、段状凹溝１４を貫通する止めねじ４２によって固定される。
【００５８】
上記のように構成することにより、連続手摺１を構成する手摺本体１０の最端部に端部キャップ材４０を強固に装着することができる。また、キャップ基部４１の外面縁部が円弧状に形成されているので、使用者やストレッチャー等が衝突した際の衝撃を緩和することができる。また、端部キャップ材４０は、手摺本体１０の取付部１１、アーム部１２及び手摺部１３と略同形状に形成されるので、手摺本体１０の取付部１１、アーム部１２及び手摺部１３に溜まった塵埃を端部キャップ材４０から掃き出すことができる。
【００５９】
本実施形態の連続手摺１において、直状接続部材２０Ａ，出隅用接続部材２０Ｂ，入隅用接続部材２０Ｃ及び端部キャップ材４０は、いずれも手摺本体１０の指掛け凹部１６，円弧部１７，平坦部１８及び掌支持部１９の外周面と略同形状に形成される主嵌合部２２Ａ，２２Ｂ，２２Ｃ，２２Ｄを有している。したがって、手摺本体１０に設けられた段状凹溝１４に被着されるカバー材１５は手摺本体１０のアーム部１２の外面と同一面を有するので、カバー材１５の長手方向の端部も、直状接続部材２０Ａ，出隅用接続部材２０Ｂ，入隅用接続部材２０Ｃ及び端部キャップ材４０の主嵌合部２２Ａ，２２Ｂ，２２Ｃ，２２Ｄ内に嵌挿される。
【符号の説明】
【００６０】
５  壁面
１０  手摺本体
１１  取付部
１１ｃ  矩形状空間部
１２  アーム部
１３  手摺部
１３ａ  上部空間部
１４  段状凹溝
１４ａ  開口部
１４ｂ  凹状段部
１４ｃ  上部係合凸条
１４ｄ  下部係合凸条
１４ｅ  係合凹条
１５  カバー材
１５ａ  カバー本体
１５ｂ  上部係止爪
１５ｃ  下部係止爪
１６  指掛け凹部
１７  円弧部
１８  平坦部
１９  掌支持部
２０Ａ  直状接続部材
２０Ｂ  出隅用接続部材
２０Ｃ  入隅用接続部材
２１  板状基部
２２Ａ，２２Ｂ，２２Ｃ，２２Ｄ  主嵌合部
２３Ａ，２３Ｂ，２３Ｃ，２３Ｄ  上部嵌合部
２４Ａ，２４Ｂ，２４Ｃ，２４Ｄ  下部嵌合部
２５Ａ，２５Ｂ，２５Ｃ  仕切壁
２６  突起
２７  エルボ状基部
２８，２８Ｄ  補助嵌合部
２９  傾斜内壁
３０  拡開凹部
３１  蓋部
３２  仕上げ材
３３  帯状基部
４０  端部キャップ材
４１  キャップ基部
５０  固定ねじ
【図１】
0006395181.tif 000002
【図２】
0006395181.tif 000003
【図２Ａ】
0006395181.tif 000004
【図３】
0006395181.tif 000005
【図４】
0006395181.tif 000006
【図５】
0006395181.tif 000007
【図６】
0006395181.tif 000008
【図７】
0006395181.tif 000009
【図８】
0006395181.tif 000010
【図９】
0006395181.tif 000011
【図１０】
0006395181.tif 000012
【図１１】
0006395181.tif 000013
【図１２】
0006395181.tif 000014
【図１３】
0006395181.tif 000015
【図１４】
0006395181.tif 000016
【図１５】
0006395181.tif 000017
【図１６】
0006395181.tif 000018
【図１７】
0006395181.tif 000019
【図１８】
0006395181.tif 000020
【図１９】
0006395181.tif 000021
【図２０】
0006395181.tif 000022
【図２１】
0006395181.tif 000023
【図２２】
0006395181.tif 000024
【図２３】
0006395181.tif 000025